【手続補正書】
【提出日】平成22年11月11日(2010.11.11)
【手続補正１】
【補正対象書類名】特許請求の範囲
【補正対象項目名】全文
【補正方法】変更
【補正の内容】
【特許請求の範囲】
【請求項１】
ユーザの使用する任意のフォーマットに対応した第１のデータを所定の定型フォーマットに対応した第２のデータに変換するデータ変換装置であって、
ユーザが操作する端末から、前記第１のデータを前記第２のデータに変換するルールを設定する基礎となる定義情報を受信する定義情報受信手段と、
前記定義情報から、前記第１のデータを前記第２のデータに変換するためのルールを設定した外部マスタデータを作成する外部マスタデータ作成手段と、
前記端末から、前記第１のデータを受信するデータ受信手段と、
前記外部マスタデータ作成手段の作成した外部マスタデータに定義された条件に従って、前記第１のデータを前記第２のデータに変換するデータ変換手段と、
前記端末に、前記第２のデータを送信するデータ送信手段と、
を備えることを特徴とするデータ変換装置。
【請求項２】
前記端末に、前記外部マスタデータ作成手段が作成した外部マスタデータを送信する外部マスタデータ送信手段と、
前記端末から、前記外部マスタデータを受信して一時記憶する外部マスタデータ記憶手段と、を備えていて、
前記データ変換手段は、前記外部マスタデータ記憶手段に一時記憶された外部マスタデータに定義された条件に従って、前記第１のデータを前記第２のデータに変換すること
を特徴とする請求項１記載のデータ変換装置。
【請求項３】
前記第１のデータは、ユーザの使用する任意のフォーマットに対応した第１の資金移動データ、前記第２のデータは資金移動処理用の定型フォーマットに対応した第２の資金移動データであって、
前記定義情報受信手段が受信する定義情報には、前記ユーザが資金移動に用いる口座に関する情報を含む企業マスタ情報と、前記第１の資金移動データと前記第２の資金移動データの各々に含まれる項目の対応関係を定義したマッピング定義情報が含まれ、
前記外部マスタデータ作成手段は、前記企業マスタ情報と前記マッピング定義情報から、前記外部マスタデータを作成すること
を特徴とする請求項１又は２記載のデータ変換装置。
【請求項４】
前記データ送信手段が第２のデータを送信すると、前記外部マスタデータ作成手段が作成した外部マスタデータ、前記データ受信手段が受信した第１のデータ、前記データ変換手段が変換した第２のデータは、いずれも前記データ変換装置に備えられた記憶装置から削除されること
を特徴とする請求項１乃至３いずれかに記載のデータ変換装置。
【請求項５】
前記外部マスタデータ送信手段が外部マスタデータを送信すると、前記定義情報受信手段が受信した定義情報、前記外部マスタデータ作成手段が作成した外部マスタデータは、いずれも前記データ変換装置に備えられた記憶装置から削除され、
前記データ送信手段が第２のデータを送信すると、前記外部マスタデータ記憶手段に一時記憶された外部マスタデータ、前記データ受信手段が受信した第１のデータ、前記データ変換手段が変換した第２のデータは、いずれも前記データ変換装置に備えられた記憶装置から削除されること
を特徴とする請求項２又は３記載のデータ変換装置。
【請求項６】
前記データ受信手段が第１のデータを受信すると、受信した第１のデータが所定の条件に合致する場合には、前記端末に、前記ユーザの認証に用いるためのメールアドレスとパスワードの入力を要求する認証情報要求手段と、
前記端末から、前記要求に従って入力されたメールアドレスとパスワードを受信する認証情報受信手段と、
前記メールアドレスとパスワード、前記第１のデータを変換した第２のデータを受信する認証のために割当てられた記憶領域のアドレス情報とを関連付けて一時記憶する認証情報記憶手段と、
前記データ変換手段が第２のデータへの変換を完了すると、前記認証情報記憶手段に記憶されたメールアドレスに、前記メールアドレスと関連付けられたアドレス情報を指定した通知を送信する変換完了通知送信手段と、
ユーザが操作する端末から、前記アドレス情報に指定された記憶領域へのアクセスを受け付けると、前記端末に、パスワードの入力を要求するパスワード要求手段と、
前記端末から、前記要求に従って入力されたパスワードを受信すると、前記パスワードを前記認証情報記憶手段に前記アドレス情報と関連付けて記憶されたパスワードと照合するパスワード照合手段と、
を備えていて、
前記データ送信手段は、前記パスワード照合手段でパスワードの一致が確認されると、前記端末に、前記第２のデータを送信すること
を特徴とする請求項１乃至５いずれかに記載のデータ変換装置。
【請求項７】
前記データ受信手段が第１のデータを受信すると、受信した第１のデータが所定の条件に合致する場合には、前記端末に、前記ユーザの認証に用いるためのメールアドレスとパスワードの入力を要求する認証情報要求手段と、
前記端末から、前記要求に従って入力されたメールアドレスとパスワードを受信する認証情報受信手段と、
前記メールアドレスとパスワードを前記第１のデータ又は前記外部マスタデータと関連付けて一時記憶する認証情報記憶手段と、
前記データ変換手段が第２のデータへの変換を完了すると、前記認証情報記憶手段に記憶されたメールアドレスに、データ変換の完了の通知を送信する変換完了通知送信手段と、
前記通知を受信した端末から、前記端末に入力されたメールアドレスとパスワードを受信するパスワード受信手段と、
前記パスワードを前記認証情報記憶手段に前記メールアドレスと関連付けて記憶されたパスワードと照合するパスワード照合手段と、
を備えていて、
前記データ送信手段は、前記パスワード照合手段でパスワードの一致が確認されると、前記端末に、前記第２のデータを送信すること
を特徴とする請求項１乃至５いずれかに記載のデータ変換装置。
【請求項８】
前記データ送信手段が第２のデータを送信すると、前記認証情報記憶手段に一時記憶されたメールアドレス及びパスワードは、前記データ変換装置に備えられた記憶装置から削除されること
を特徴とする請求項６又は７記載のデータ変換装置。
【請求項９】
データの変換処理を実行するデータ変換装置と、前記データ変換装置とネットワークを通じて接続されたユーザが操作する端末からなる、ユーザの使用する任意のフォーマットに対応した第１のデータを所定の定型フォーマットに対応した第２のデータに変換するデータ変換システムであって、
前記データ変換装置には、
前記端末から、前記第１のデータを前記第２のデータに変換するルールを設定する基礎となる定義情報を受信する定義情報受信手段と、
前記定義情報から、前記第１のデータを前記第２のデータに変換するためのルールを設定した外部マスタデータを作成する外部マスタデータ作成手段と、
前記端末から、前記第１のデータを受信するデータ受信手段と、
前記外部マスタデータ作成手段の作成した外部マスタデータに定義された条件に従って、前記第１のデータを前記第２のデータに変換するデータ変換手段と、
前記端末に、前記第２のデータを送信するデータ送信手段と、
を備えていて、
前記端末は、
前記定義情報を前記データ変換装置に送信する定義情報送信手段と、
前記第１のデータを前記データ変換装置に送信するデータ送信手段と、
前記データ変換装置から、前記第２のデータを受信するデータ受信手段と、
を備えることを特徴とするデータ変換システム。
【請求項１０】
前記データ変換装置には、
前記端末に、前記外部マスタデータ作成手段が作成した外部マスタデータを送信する外部マスタデータ送信手段と、
前記端末から、前記外部マスタデータを受信して一時記憶する外部マスタデータ記憶手段と、が備えられ、
前記データ変換手段は、前記外部マスタデータ記憶手段に一時記憶された外部マスタデータに定義された条件に従って、前記第１のデータを前記第２のデータに変換し、
前記端末は、
前記データ変換装置から受信した外部マスタデータを格納する外部マスタデータ格納手段と、
前記データ変換装置に、前記外部マスタデータ格納手段から読み出した外部マスタデータを送信する外部マスタデータ送信手段と、
を備えることを特徴とする請求項９記載のデータ変換システム。
【請求項１１】
データの変換処理を実行するデータ変換装置により実行される、ユーザの使用する任意のフォーマットに対応した第１のデータを所定の定型フォーマットに対応した第２のデータに変換するデータ変換方法であって、
前記データ変換装置が、ユーザが操作する端末から、前記第１のデータを前記第２のデータに変換するルールを設定する基礎となる定義情報を受信する定義情報受信ステップと、
前記データ変換装置が、前記定義情報から、前記第１のデータを前記第２のデータに変換するためのルールを設定した外部マスタデータを作成する外部マスタデータ作成ステップと、
前記データ変換装置が、前記端末から、前記第１のデータを受信するデータ受信ステップと、
前記データ変換装置が、前記外部マスタデータ作成手段の作成した外部マスタデータに定義された条件に従って、前記第１のデータを前記第２のデータに変換するデータ変換ステップと、
前記データ変換装置が、前記端末に、前記第２のデータを送信するデータ送信ステップと、
を有することを特徴とするデータ変換方法。
【請求項１２】
データの変換処理を実行するデータ変換装置と、前記データ変換装置とネットワークを通じて接続されたユーザが操作する端末により実行される、ユーザの使用する任意のフォーマットに対応した第１のデータを所定の定型フォーマットに対応した第２のデータに変換するデータ変換方法であって、
前記端末が、前記第１のデータを前記第２のデータに変換するルールを設定する基礎となる定義情報を、前記データ変換装置に送信する定義情報送信ステップと、
前記データ変換装置が、前記端末から、前記定義情報を受信する定義情報受信ステップと、
前記データ変換装置が、前記定義情報から、前記第１のデータを前記第２のデータに変換するためのルールを設定した外部マスタデータを作成する外部マスタデータ作成ステップと、
前記端末が、前記第１のデータを前記データ変換装置に送信するデータ送信ステップと、
前記データ変換装置が、前記端末から、前記第１のデータを受信するデータ受信ステップと、
前記データ変換装置が、前記外部マスタデータ作成手段の作成した外部マスタデータに定義された条件に従って、前記第１のデータを前記第２のデータに変換するデータ変換ステップと、
前記データ変換装置が、前記端末に、前記第２のデータを送信するデータ送信ステップと、
前記端末が、前記データ変換装置から、前記第２のデータを受信するデータ受信ステップと、
を有することを特徴とするデータ変換方法。
【手続補正２】
【補正対象書類名】明細書
【補正対象項目名】発明の名称
【補正方法】変更
【補正の内容】
【発明の名称】データ変換装置、データ変換システム及びデータ変換方法
【手続補正３】
【補正対象書類名】明細書
【補正対象項目名】００１１
【補正方法】変更
【補正の内容】
【００１１】
このような課題を解決する本発明は、ユーザの使用する任意のフォーマットに対応した第１のデータを所定の定型フォーマットに対応した第２のデータに変換するデータ変換装置であって、ユーザが操作する端末から、前記第１のデータを前記第２のデータに変換するルールを設定する基礎となる定義情報を受信する定義情報受信手段と、前記定義情報から、前記第１のデータを前記第２のデータに変換するためのルールを設定した外部マスタデータを作成する外部マスタデータ作成手段と、前記端末から、前記第１のデータを受信するデータ受信手段と、前記外部マスタデータ作成手段の作成した外部マスタデータに定義された条件に従って、前記第１のデータを前記第２のデータに変換するデータ変換手段と、前記端末に、前記第２のデータを送信するデータ送信手段と、を備えることを特徴とするデータ変換装置である。前記端末に、前記外部マスタデータ作成手段が作成した外部マスタデータを送信する外部マスタデータ送信手段と、前記端末から、前記外部マスタデータを受信して一時記憶する外部マスタデータ記憶手段と、を備えていて、前記データ変換手段は、前記外部マスタデータ記憶手段に一時記憶された外部マスタデータに定義された条件に従って、前記第１のデータを前記第２のデータに変換することを特徴とすることもできる。前記第１のデータは、ユーザの使用する任意のフォーマットに対応した第１の資金移動データ、前記第２のデータは資金移動処理用の定型フォーマットに対応した第２の資金移動データであって、前記定義情報受信手段が受信する定義情報には、前記ユーザが資金移動に用いる口座に関する情報を含む企業マスタ情報と、前記第１の資金移動データと前記第２の資金移動データの各々に含まれる項目の対応関係を定義したマッピング定義情報が含まれ、前記外部マスタデータ作成手段は、前記企業マスタ情報と前記マッピング定義情報から、前記外部マスタデータを作成することを特徴としてもよい。
【手続補正４】
【補正対象書類名】明細書
【補正対象項目名】００１４
【補正方法】変更
【補正の内容】
【００１４】
また、本発明は、前記データ送信手段が第２のデータを送信すると、前記外部マスタデータ作成手段が作成した外部マスタデータ、前記データ受信手段が受信した第１のデータ、前記データ変換手段が変換した第２のデータは、いずれも前記データ変換装置に備えられた記憶装置から削除されることを特徴とすることもできる。前記外部マスタデータ送信手段が外部マスタデータを送信すると、前記定義情報受信手段が受信した定義情報、前記外部マスタデータ作成手段が作成した外部マスタデータは、いずれも前記データ変換装置に備えられた記憶装置から削除され、前記データ送信手段が第２のデータを送信すると、前記外部マスタデータ記憶手段に一時記憶された外部マスタデータ、前記データ受信手段が受信した第１のデータ、前記データ変換手段が変換した第２のデータは、いずれも前記データ変換装置に備えられた記憶装置から削除されることを特徴とすることもできる。
【手続補正５】
【補正対象書類名】明細書
【補正対象項目名】００１６
【補正方法】変更
【補正の内容】
【００１６】
さらに、本発明は、前記データ受信手段が第１のデータを受信すると、受信した第１のデータが所定の条件に合致する場合には、前記端末に、前記ユーザの認証に用いるためのメールアドレスとパスワードの入力を要求する認証情報要求手段と、前記端末から、前記要求に従って入力されたメールアドレスとパスワードを受信する認証情報受信手段と、前記メールアドレスとパスワード、前記第１のデータを変換した第２のデータを受信する認証のために割当てられた記憶領域のアドレス情報とを関連付けて一時記憶する認証情報記憶手段と、前記データ変換手段が第２のデータへの変換を完了すると、前記認証情報記憶手段に記憶されたメールアドレスに、前記メールアドレスと関連付けられたアドレス情報を指定した通知を送信する変換完了通知送信手段と、ユーザが操作する端末から、前記アドレス情報に指定された記憶領域へのアクセスを受け付けると、前記端末に、パスワードの入力を要求するパスワード要求手段と、前記端末から、前記要求に従って入力されたパスワードを受信すると、前記パスワードを前記認証情報記憶手段に前記アドレス情報と関連付けて記憶されたパスワードと照合するパスワード照合手段と、を備えていて、前記データ送信手段は、前記パスワード照合手段でパスワードの一致が確認されると、前記端末に、前記第２のデータを送信することを特徴としてもよい。
【手続補正６】
【補正対象書類名】明細書
【補正対象項目名】００１８
【補正方法】変更
【補正の内容】
【００１８】
さらに、本発明は、前記データ受信手段が第１のデータを受信すると、受信した第１のデータが所定の条件に合致する場合には、前記端末に、前記ユーザの認証に用いるためのメールアドレスとパスワードの入力を要求する認証情報要求手段と、前記端末から、前記要求に従って入力されたメールアドレスとパスワードを受信する認証情報受信手段と、前記メールアドレスとパスワードを前記第１のデータ又は前記外部マスタデータと関連付けて一時記憶する認証情報記憶手段と、前記データ変換手段が第２のデータへの変換を完了すると、前記認証情報記憶手段に記憶されたメールアドレスに、データ変換の完了の通知を送信する変換完了通知送信手段と、前記通知を受信した端末から、前記端末に入力されたメールアドレスとパスワードを受信するパスワード受信手段と、前記パスワードを前記認証情報記憶手段に前記メールアドレスと関連付けて記憶されたパスワードと照合するパスワード照合手段と、を備えていて、前記データ送信手段は、前記パスワード照合手段でパスワードの一致が確認されると、前記端末に、前記第２のデータを送信することを特徴としてもよい。
【手続補正７】
【補正対象書類名】明細書
【補正対象項目名】００２０
【補正方法】変更
【補正の内容】
【００２０】
さらに、本発明は、前記データ送信手段が第２のデータを送信すると、前記認証情報記憶手段に一時記憶されたメールアドレス及びパスワードは、前記データ変換装置に備えられた記憶装置から削除されることを特徴としてもよい。
【手続補正８】
【補正対象書類名】明細書
【補正対象項目名】００２２
【補正方法】変更
【補正の内容】
【００２２】
本発明は、本発明にかかるデータ変換装置と、データ変換装置とネットワークを通じて接続されたユーザが操作する端末からなる、データ変換システムとして構成することもできる。
【手続補正９】
【補正対象書類名】明細書
【補正対象項目名】００２３
【補正方法】変更
【補正の内容】
【００２３】
本発明にかかるデータ変換システムは、データの変換処理を実行するデータ変換装置と、前記データ変換装置とネットワークを通じて接続されたユーザが操作する端末からなる、ユーザの使用する任意のフォーマットに対応した第１のデータを所定の定型フォーマットに対応した第２のデータに変換するデータ変換システムであって、前記データ変換装置には、前記端末から、前記第１のデータを前記第２のデータに変換するルールを設定する基礎となる定義情報を受信する定義情報受信手段と、前記定義情報から、前記第１のデータを前記第２のデータに変換するためのルールを設定した外部マスタデータを作成する外部マスタデータ作成手段と、前記端末から、前記第１のデータを受信するデータ受信手段と、前記外部マスタデータ作成手段の作成した外部マスタデータに定義された条件に従って、前記第１のデータを前記第２のデータに変換するデータ変換手段と、前記端末に、前記第２のデータを送信するデータ送信手段と、を備えていて、前記端末は、前記定義情報を前記データ変換装置に送信する定義情報送信手段と、前記第１のデータを前記データ変換装置に送信するデータ送信手段と、前記データ変換装置から前記第２のデータを受信するデータ受信手段と、を備えることを特徴とするデータ変換システムである。前記データ変換装置には、前記端末に、前記外部マスタデータ作成手段が作成した外部マスタデータを送信する外部マスタデータ送信手段と、前記端末から、前記外部マスタデータを受信して一時記憶する外部マスタデータ記憶手段と、が備えられ、前記データ変換手段は、前記外部マスタデータ記憶手段に一時記憶された外部マスタデータに定義された条件に従って、前記第１のデータを前記第２のデータに変換し、前記端末は、前記データ変換装置から受信した外部マスタデータを格納する外部マスタデータ格納手段と、前記データ変換装置に、前記外部マスタデータ格納手段から読み出した外部マスタデータを送信する外部マスタデータ送信手段と、を備えることを特徴とすることもできる。前記第１のデータは、ユーザの使用する任意のフォーマットに対応した第１の資金移動データ、前記第２のデータは資金移動処理用の定型フォーマットに対応した第２の資金移動データであって、前記定義情報受信手段が受信する定義情報には、前記ユーザが資金移動に用いる口座に関する情報を含む企業マスタ情報と、前記第１の資金移動データと前記第２の資金移動データの各々に含まれる項目の対応関係を定義したマッピング定義情報が含まれ、前記外部マスタデータ作成手段は、前記企業マスタ情報と前記マッピング定義情報から、前記外部マスタデータを作成することを特徴としてもよい。
【手続補正１０】
【補正対象書類名】明細書
【補正対象項目名】００２４
【補正方法】変更
【補正の内容】
【００２４】
また、本発明にかかるデータ変換システムは、前記データ変換装置において、前記データ送信手段が第２のデータを送信すると、前記外部マスタデータ作成手段が作成した外部マスタデータ、前記データ受信手段が受信した第１のデータ、前記データ変換手段が変換した第２のデータは、いずれも前記データ変換装置に備えられた記憶装置から削除されることを特徴とすることもできる。前記外部マスタデータ送信手段が外部マスタデータを送信すると、前記定義情報受信手段が受信した定義情報、前記外部マスタデータ作成手段が作成した外部マスタデータは、いずれも前記データ変換装置に備えられた記憶装置から削除され、前記データ送信手段が第２のデータを送信すると、前記外部マスタデータ記憶手段に一時記憶された外部マスタデータ、前記データ受信手段が受信した第１のデータ、前記データ変換手段が変換した第２のデータは、いずれも前記データ変換装置に備えられた記憶装置から削除されることを特徴とすることもできる。
【手続補正１１】
【補正対象書類名】明細書
【補正対象項目名】００２５
【補正方法】変更
【補正の内容】
【００２５】
さらに、本発明にかかるデータ変換システムは、前記データ変換装置は、前記データ受信手段が第１のデータを受信すると、受信した第１のデータが所定の条件に合致する場合には、前記端末に、前記ユーザの認証に用いるためのメールアドレスとパスワードの入力を要求する認証情報要求手段と、前記端末から、前記要求に従って入力されたメールアドレスとパスワードを受信する認証情報受信手段と、前記メールアドレスとパスワード、前記第１のデータを変換した第２のデータを受信する認証のために割当てられた記憶領域のアドレス情報とを関連付けて一時記憶する認証情報記憶手段と、前記データ変換手段が第２のデータへの変換を完了すると、前記認証情報記憶手段に記憶されたメールアドレスに、前記メールアドレスと関連付けられたアドレス情報を指定した通知を送信する変換完了通知送信手段と、ユーザが操作する端末から、前記アドレス情報に指定された記憶領域へのアクセスを受け付けると、前記端末に、パスワードの入力を要求するパスワード要求手段と、前記端末から、前記要求に従って入力されたパスワードを受信すると、前記パスワードを前記認証情報記憶手段に前記アドレス情報と関連付けて記憶されたパスワードと照合するパスワード照合手段と、を備えていて、前記データ送信手段は、前記パスワード照合手段でパスワードの一致が確認されると、前記端末に、前記第２のデータを送信することを特徴としてもよい。
【手続補正１２】
【補正対象書類名】明細書
【補正対象項目名】００２６
【補正方法】変更
【補正の内容】
【００２６】
さらに、本発明にかかるデータ変換システムは、前記データ変換装置は、前記データ受信手段が第１のデータを受信すると、受信した第１のデータが所定の条件に合致する場合には、前記端末に、前記ユーザの認証に用いるためのメールアドレスとパスワードの入力を要求する認証情報要求手段と、前記端末から、前記要求に従って入力されたメールアドレスとパスワードを受信する認証情報受信手段と、前記メールアドレスとパスワードを前記第１のデータ又は前記外部マスタデータと関連付けて一時記憶する認証情報記憶手段と、前記データ変換手段が第２のデータへの変換を完了すると、前記認証情報記憶手段に記憶されたメールアドレスに、データ変換の完了の通知を送信する変換完了通知送信手段と、前記通知を受信した端末から、前記端末に入力されたメールアドレスとパスワードを受信するパスワード受信手段と、前記パスワードを前記認証情報記憶手段に前記メールアドレスと関連付けて記憶されたパスワードと照合するパスワード照合手段と、を備えていて、前記データ送信手段は、前記パスワード照合手段でパスワードの一致が確認されると、前記端末に、前記第２のデータを送信することを特徴としてもよい。
【手続補正１３】
【補正対象書類名】明細書
【補正対象項目名】００２７
【補正方法】変更
【補正の内容】
【００２７】
さらに、本発明にかかるデータ変換システムは、前記データ変換装置において、前記データ送信手段が第２のデータを送信すると、前記認証情報記憶手段に一時記憶されたメールアドレス及びパスワードは、前記データ変換装置に備えられた記憶装置から削除されることを特徴としてもよい。
【手続補正１４】
【補正対象書類名】明細書
【補正対象項目名】００２８
【補正方法】変更
【補正の内容】
【００２８】
また、本発明は、本発明にかかるデータ変換装置、又はデータ変換システムによって実行されるデータ変換方法として特定することもできる。
【手続補正１５】
【補正対象書類名】明細書
【補正対象項目名】００２９
【補正方法】変更
【補正の内容】
【００２９】
本発明にかかるデータ変換方法は、データの変換処理を実行するデータ変換装置により実行される、ユーザの使用する任意のフォーマットに対応した第１のデータを所定の定型フォーマットに対応した第２のデータに変換するデータ変換方法であって、前記データ変換装置が、ユーザが操作する端末から、前記第１のデータを前記第２のデータに変換するルールを設定する基礎となる定義情報を受信する定義情報受信ステップと、前記データ変換装置が、前記定義情報から、前記第１のデータを前記第２のデータに変換するためのルールを設定した外部マスタデータを作成する外部マスタデータ作成ステップと、前記データ変換装置が、前記端末から、前記第１のデータを受信するデータ受信ステップと、前記データ変換装置が、前記外部マスタデータ作成手段の作成した外部マスタデータに定義された条件に従って、前記第１のデータを前記第２のデータに変換するデータ変換ステップと、前記データ変換装置が、前記端末に、前記第２のデータを送信するデータ送信ステップと、を有することを特徴とするデータ変換方法である。前記データ変換装置が、前記端末に、前記外部マスタデータを送信する外部マスタデータ送信ステップと、前記データ変換装置が、前記端末から、前記外部マスタデータを受信して記憶装置に一時記憶させる外部マスタデータ記憶ステップと、を有していて、前記データ変換ステップでは、前記外部マスタデータ記憶ステップで前記記憶装置に一時記憶させた外部マスタデータに定義された条件に従って、前記第１のデータを前記第２のデータに変換することを特徴とすることもできる。前記第１のデータは、ユーザの使用する任意のフォーマットに対応した第１の資金移動データ、前記第２のデータは資金移動処理用の定型フォーマットに対応した第２の資金移動データであって、前記定義情報受信ステップで受信する定義情報には、前記ユーザが資金移動に用いる口座に関する情報を含む企業マスタ情報と、前記第１の資金移動データと前記第２の資金移動データの各々に含まれる項目の対応関係を定義したマッピング定義情報が含まれ、前記外部マスタデータ作成ステップでは、前記企業マスタ情報と前記マッピング定義情報から、前記外部マスタデータを作成することを特徴としてもよい。
【手続補正１６】
【補正対象書類名】明細書
【補正対象項目名】００３０
【補正方法】変更
【補正の内容】
【００３０】
本発明にかかるデータ変換方法は、データの変換処理を実行するデータ変換装置と、前記データ変換装置とネットワークを通じて接続されたユーザが操作する端末により実行される、ユーザの使用する任意のフォーマットに対応した第１のデータを所定の定型フォーマットに対応した第２のデータに変換するデータ変換方法であって、前記端末が、前記第１のデータを前記第２のデータに変換するルールを設定する基礎となる定義情報を前記データ変換装置に送信する定義情報送信ステップと、前記データ変換装置が、前記端末から、前記定義情報を受信する定義情報受信ステップと、前記データ変換装置が、前記定義情報から、前記第１のデータを前記第２のデータに変換するためのルールを設定した外部マスタデータを作成する外部マスタデータ作成ステップと、前記端末が、前記第１のデータを前記データ変換装置に送信するデータ送信ステップと、前記データ変換装置が、前記端末から、前記第１のデータを受信するデータ受信ステップと、前記データ変換装置が、前記外部マスタデータ作成手段の作成した外部マスタデータに定義された条件に従って、前記第１のデータを前記第２のデータに変換するデータ変換ステップと、前記データ変換装置が、前記端末に、前記第２のデータを送信するデータ送信ステップと、前記端末が、前記データ変換装置から、前記第２のデータを受信するデータ受信ステップと、を有することを特徴とするデータ変換方法である。前記データ変換装置が、前記端末に、前記外部マスタデータを送信する外部マスタデータ送信ステップと、前記端末が、前記データ変換装置から受信した外部マスタデータを記憶装置に格納する外部マスタデータ格納ステップと、前記端末が、前記データ変換装置に、前記記憶装置から読み出した外部マスタデータを送信する外部マスタデータ送信ステップと、前記データ変換装置が、前記端末から、前記外部マスタデータを受信して記憶装置に一時記憶させる外部マスタデータ記憶ステップと、を有していて、前記データ変換ステップでは、前記外部マスタデータ記憶ステップで前記記憶装置に一時記憶させた外部マスタデータに定義された条件に従って、前記第１のデータを前記第２のデータに変換することを特徴とすることもできる。前記第１のデータは、ユーザの使用する任意のフォーマットに対応した第１の資金移動データ、前記第２のデータは資金移動処理用の定型フォーマットに対応した第２の資金移動データであって、前記定義情報受信ステップで受信する定義情報には、前記ユーザが資金移動に用いる口座に関する情報を含む企業マスタ情報と、前記第１の資金移動データと前記第２の資金移動データの各々に含まれる項目の対応関係を定義したマッピング定義情報が含まれ、前記外部マスタデータ作成ステップでは、前記企業マスタ情報と前記マッピング定義情報から、前記外部マスタデータを作成することを特徴としてもよい。
【手続補正１７】
【補正対象書類名】明細書
【補正対象項目名】００３１
【補正方法】変更
【補正の内容】
【００３１】
また、本発明にかかるデータ変換方法は、前記データ変換装置が、前記データ送信ステップで第２のデータを送信すると、前記外部マスタデータ作成ステップで作成した外部マスタデータ、前記データ受信ステップで受信した第１のデータ、前記データ変換ステップで変換した第２のデータを、いずれも前記データ変換装置に備えられた記憶装置から削除するステップを有することを特徴とすることもできる。前記外部マスタデータ送信ステップで外部マスタデータを送信すると、前記定義情報受信ステップで受信した定義情報、前記外部マスタデータ作成ステップで作成された外部マスタデータを、いずれも前記データ変換装置に備えられた記憶装置から削除するステップと、前記データ送信ステップで第２のデータを送信すると、前記記憶装置に一時記憶された外部マスタデータ、前記データ受信ステップで受信した第１のデータ、前記データ変換ステップで変換した第２のデータを、いずれも前記データ変換装置に備えられた記憶装置から削除するステップと、を有することを特徴とすることもできる。
【手続補正１８】
【補正対象書類名】明細書
【補正対象項目名】００３２
【補正方法】変更
【補正の内容】
【００３２】
さらに、本発明にかかるデータ変換方法は、前記データ変換装置が、前記データ受信ステップで第１のデータを受信すると、受信した第１のデータが所定の条件に合致する場合には、前記端末に、前記ユーザの認証に用いるためのメールアドレスとパスワードの入力を要求する認証情報要求ステップと、前記データ変換装置が、前記端末から、前記要求に従って入力されたメールアドレスとパスワードを受信する認証情報受信ステップと、前記データ変換装置が、前記メールアドレスとパスワード、前記第１のデータを変換した第２のデータを受信する認証のために割当てられた記憶領域のアドレス情報とを関連付けて記憶装置に一時記憶させる認証情報記憶ステップと、前記データ変換装置が、前記データ変換ステップで第２のデータへの変換を完了すると、前記記憶装置に記憶されたメールアドレスに、前記メールアドレスと関連付けられたアドレス情報を指定した通知を送信する変換完了通知送信ステップと、前記データ変換装置が、ユーザが操作する端末から、前記アドレス情報に指定された記憶領域へのアクセスを受け付けると、前記端末に、パスワードの入力を要求するパスワード要求ステップと、前記データ変換装置が、前記端末から、前記要求に従って入力されたパスワードを受信すると、前記パスワードを前記記憶装置に前記アドレス情報と関連付けて記憶されたパスワードと照合するパスワード照合ステップと、を有していて、前記データ送信ステップにおいて、前記データ変換装置は、前記パスワード照合ステップでパスワードの一致が確認されると、前記端末に、前記第２のデータを送信することを特徴としてもよい。
【手続補正１９】
【補正対象書類名】明細書
【補正対象項目名】００３３
【補正方法】変更
【補正の内容】
【００３３】
さらに、本発明にかかるデータ変換方法は、前記データ変換装置が、前記データ受信ステップで第１のデータを受信すると、受信した第１のデータが所定の条件に合致する場合には、前記端末に、前記ユーザの認証に用いるためのメールアドレスとパスワードの入力を要求する認証情報要求ステップと、前記データ変換装置が、前記端末から、前記要求に従って入力されたメールアドレスとパスワードを受信する認証情報受信ステップと、前記データ変換装置が、前記メールアドレスとパスワードを前記第１のデータ又は前記外部マスタデータと関連付けて記憶装置に一時記憶させる認証情報記憶ステップと、前記データ変換装置が、前記データ変換ステップで第２のデータへの変換を完了すると、前記記憶装置に記憶されたメールアドレスに、データ変換の完了の通知を送信する変換完了通知送信ステップと、前記データ変換装置が、前記通知を受信した端末から、前記端末に入力されたメールアドレスとパスワードを受信するパスワード受信ステップと、前記データ変換装置が、前記パスワードを前記記憶装置に前記メールアドレスと関連付けて記憶されたパスワードと照合するパスワード照合ステップと、を有していて、前記データ送信ステップにおいて、前記データ変換装置は、前記パスワード照合ステップでパスワードの一致が確認されると、前記端末に、前記第２のデータを送信することを特徴としてもよい。
【手続補正２０】
【補正対象書類名】明細書
【補正対象項目名】００３４
【補正方法】変更
【補正の内容】
【００３４】
さらに、本発明にかかるデータ変換方法は、前記データ変換装置が、前記データ送信ステップで第２のデータを送信すると、前記記憶装置に一時記憶されたメールアドレス及びパスワードを、前記データ変換装置に備えられた記憶装置から削除するステップを有することを特徴としてもよい。